(57)【要約】【課題】電子機器に搭載又は接続する外部記憶装置に対するデータ転送に関し、その高速化を図る。【解決手段】外部記憶装置（１０）を接続又は搭載する電子機器（携帯端末機器４）に関し、データ供給源である外部機器（パーソナルコンピュータ６）に接続されてデータを伝送する伝送路（４０８）を備え、この伝送路と外部記憶装置（１０）との間に介在するデータ伝送経路を簡略化し、データ転送の高速化を図り、外部記憶装置に対するデータ書込みの高速化を図っている。【選択図】図１
2007286978.tif 000002
【特許請求の範囲】
【請求項１】
外部記憶装置を接続又は搭載する電子機器であって、
外部機器に接続され、データを伝送する伝送路と、
前記伝送路に接続されてデータを通過させ又は遮断する切替え機能を有し、前記外部記憶装置にデータを書き込む場合に、前記伝送路からの前記データを通過させて前記外部記憶装置に転送するデータ転送部と、
を備えることを特徴とする電子機器。
【請求項２】
外部記憶装置を接続又は搭載する電子機器であって、
外部機器に接続され、データを伝送する伝送路と、
前記伝送路に接続され、データを受け又は遮断するデータ処理部と、
前記データ処理部がデータを遮断する場合に、前記伝送路を通して前記外部機器からデータを通過させ、該データを前記外部記憶装置に転送するデータ転送部と、
を備えることを特徴とする電子機器。
【請求項３】
外部記憶装置を接続又は搭載する電子機器のデータ転送制御方法であって、
外部機器から送出されたデータを通過させ又は遮断するステップと、
前記外部機器から受けた前記データを前記外部記憶装置に転送させるステップと、
を含むことを特徴とする、電子機器のデータ転送制御方法。
【請求項４】
外部記憶装置を接続又は搭載するとともに、コンピュータを備え、該コンピュータに実行させるための、電子機器のデータ転送制御プログラムであって、
外部機器から送出されたデータを通過させ又は遮断するステップと、
前記外部機器から受けた前記データを前記外部記憶装置に転送させるステップと、
を含むことを特徴とする、電子機器のデータ転送制御プログラム。
【請求項５】
外部記憶装置を接続又は搭載する電子機器を備えるデータ転送システムであって、
前記電子機器にデータを供給する外部機器と、
前記外部機器に接続され、データを伝送する伝送路と、
前記伝送路に接続され、データを受け又は遮断するデータ処理部と、
前記データ処理部がデータを遮断する場合に、前記伝送路を通して前記外部機器からデータを通過させ、該データを前記外部記憶装置に転送するデータ転送部と、
を備えることを特徴とするデータ転送システム。
【発明の詳細な説明】
【技術分野】
【０００１】
本発明は、ＳＤ（Secure Digital）メモリカード等の外部記憶装置を搭載又は接続する電子機器に関し、特に、ＵＳＢ（Universal Serial Bus）等のインタフェース機能を用いてデータを外部記憶装置に転送してデータ書込みを行える電子機器、そのデータ転送制御方法、そのデータ転送制御プログラム、回路チップ、回路装置及びデータ転送システムに関する。
【背景技術】
【０００２】
携帯電話機等の携帯端末機器に搭載された外部記憶装置に外部からアプリケーションデータ等を書き込むには、携帯端末機器にパーソナルコンピュータ（ＰＣ）を接続し、ＰＣから書き込むべきデータを携帯端末機器に取り込み、外部記憶装置に書き込む方法が取られている。
【０００３】
このようなデータ転送に関し、特許文献１には、ＰＣに携帯電話機が接続され、画像データ等の転送を行うことが開示されており、また、特許文献２には、通信装置にＵＳＢケーブルによりＰＣが接続され、通信装置側にある画像データ等がＵＳＢケーブルを介してＰＣに転送され、その保管を行うことについて開示されている。
【特許文献１】特開２００５−１３０３３９（段落番号００３０、図１）
【特許文献２】特開２００５−１２３８４３（要約、図１、図２）
【発明の開示】
【発明が解決しようとする課題】
【０００４】
ところで、外部記憶装置が搭載された携帯端末機器にＰＣからデータを転送し、外部記憶装置にそのデータを書き込む場合、携帯端末機器とＰＣとをＵＳＢケーブルで接続し、携帯端末機器において、モデムを構成するＤＢＢ−ＬＳＩ（Digital Base Band - Large Scale Integration ）を使用し、モデムを介在させたいわゆるＰＣ通信によりデータ転送及びデータ書込みが行われている。
【０００５】
携帯端末機器のように、搭載されたＵＳＢドライバが単一である電子機器では、ＵＳＢケーブルと接続されるインタフェース（Ｉ／Ｆ）が単一であり、データ転送が複雑化する傾向にある。携帯端末機器の内部処理として、データ転送にシリアル／パラレル信号を用いる場合には、データ長の制限やクロック性能によりデータ転送が遅く、外部記憶装置の書込み時間が制限される。
【０００６】
ＰＣから携帯端末機器の外部記憶装置に転送されるデータは文書、画像、動画、音楽、ゲームソフト等、多岐に亘っており、動画データや音楽データ等の膨大なデータ量の転送に時間が掛かるという指摘がある。
【０００７】
斯かる課題について、特許文献１、２にはその開示やその解決手段についての開示や示唆はない。
【０００８】
そこで、本発明の目的は、電子機器に搭載又は接続する外部記憶装置に対するデータ転送に関し、その高速化を図ることにある。
【０００９】
斯かる目的を具体的に述べれば、データを供給する外部機器とデータの転送先である外部記憶装置との間のデータ伝送経路を簡略化し、データ転送の高速化を図り、外部記憶装置のデータ書込み時間の短縮化に寄与することにある。
【課題を解決するための手段】
【００１０】
上記目的を達成するため、本発明は、外部記憶装置を接続又は搭載する機器や回路装置に関し、データ供給源である外部機器に接続されてデータを伝送する伝送路を備え、この伝送路と外部記憶装置との間に介在するデータ伝送経路を簡略化し、データ転送の高速化を図り、外部記憶装置に対するデータ書込みの高速化を図っている。
【００１１】
そこで、上記目的を達成するため、本発明の第１の側面は、外部記憶装置を接続又は搭載する電子機器であって、外部機器に接続され、データを伝送する伝送路と、前記伝送路に接続されてデータを通過させ又は遮断する切替え機能を有し、前記外部記憶装置にデータを書き込む場合に、前記伝送路からの前記データを通過させて前記外部記憶装置に転送するデータ転送部とを備える構成である。斯かる構成によれば、外部記憶装置と、外部機器との間に介在する電子機器におけるデータ伝送経路が簡略化されるので、データ転送の高速化が図られる。
【００１２】
上記目的を達成するため、本発明の第２の側面は、外部記憶装置を接続又は搭載する電子機器であって、外部機器に接続され、データを伝送する伝送路と、前記伝送路に接続され、データを受け又は遮断するデータ処理部と、前記データ処理部がデータを遮断する場合に、前記伝送路を通して前記外部機器からデータを通過させ、該データを前記外部記憶装置に転送するデータ転送部とを備える構成である。斯かる構成によれば、外部機器からのデータは必要に応じてデータ処理部とデータ転送部とに選択的に切り替えられて受け入れられ、データ転送部側からデータを外部記憶装置に転送する際には、伝送路とデータ転送部とでデータ転送が行えるので、データ伝送経路が簡略化され、データ転送の高速化が図られる。
【００１３】
上記目的を達成するため、本発明の第３の側面は、外部記憶装置を接続又は搭載する電子機器のデータ転送制御方法であって、外部機器から送出されたデータを通過させ又は遮断するステップと、前記外部機器から受けた前記データを前記外部記憶装置に転送させるステップとを含む構成である。斯かる構成によっても、上記目的が達成される。
【００１４】
上記目的を達成するため、本発明の第４の側面は、外部記憶装置を接続又は搭載するとともに、コンピュータを備え、該コンピュータに実行させるための、電子機器のデータ転送制御プログラムであって、外部機器から送出されたデータを通過させ又は遮断するステップと、前記外部機器から受けた前記データを前記外部記憶装置に転送させるステップとを含む構成である。斯かる構成によれば、コンピュータ処理により上記目的が達成される。
【００１５】
上記目的を達成するため、本発明の第５の側面は、外部記憶装置を接続又は搭載する電子機器を備えるデータ転送システムであって、前記電子機器にデータを供給する外部機器と、前記外部機器に接続され、データを伝送する伝送路と、前記伝送路に接続され、データを受け又は遮断するデータ処理部と、前記データ処理部がデータを遮断する場合に、前記伝送路を通して前記外部機器からデータを通過させ、該データを前記外部記憶装置に転送するデータ転送部とを備える構成である。斯かる構成によれば、外部機器と外部記憶装置との間に介在する電子機器におけるデータ伝送経路、外部機器とデータ処理部との間のデータ伝送経路が簡略化されるので、データ転送の高速化が図られるとともに、これらデータ伝送経路はデータ処理部とデータ転送部とを選択的に切り替えてデータを受け入れるので、データを受け入れていない側のデータ処理部又はデータ転送部の誤動作が防止され、データ伝送の信頼性が高められる。
【発明の効果】
【００１６】
本発明によれば、次のような効果が得られる。
【００１７】
(1) 電子機器に搭載又は接続される外部記憶装置に対し、外部機器から供給されるデータの転送の高速化が図られる。
【００１８】
(2) データを供給する外部機器とデータの転送先である外部記憶装置との間のデータ伝送経路が簡略化され、データ転送の高速化が図られるとともに、外部記憶装置に対するデータ書込み時間の短縮化に寄与する。
【発明を実施するための最良の形態】
【００１９】
〔第１の実施の形態〕
【００２０】
本発明の第１の実施の形態について、図１ないし図９を参照して説明する。図１は携帯端末機器を用いたデータ転送システムを示す図、図２はベースバンド部の構成例を示す図、図３はベースバンド部の記憶部の構成例を示す図、図４はアプリケーション制御部の構成例を示す図、図５はアプリケーション制御部の記憶部の構成例を示す図、図６は伝送路を拡大して示した図、図７はＵＳＢ検出部の構成例を示す図、図８は携帯端末機器の構成例を示す図、図９はパーソナルコンピュータ（ＰＣ）の構成例を示す図である。図１ないし図９は本発明の一例であって、本発明は斯かる構成に限定されるものではない。
【００２１】
このデータ転送システム２は、携帯端末機器４とその外部機器であるパーソナルコンピュータ（ＰＣ）６とをＵＳＢ（Universal Serial Bus）ケーブル８で接続し、携帯端末機器４が持つ通信機能を用いてＰＣ６からのデータを通信先に転送する通信機能（通信モード）と、携帯端末機器４側にある外部記憶装置（以下「外部メモリ」と称する）１０にＰＣ６側からのデータを転送し、その書込みを行う中継機能（ストレージモード）を有する。ＵＳＢケーブル８は周知のように、一対の伝送線と一対の電源用伝送線を備えたケーブルである。外部メモリ１０に書き込まれるデータは音楽や動画等、多岐に亘るデータである。また、このデータ転送システム２は、外部メモリ１０にあるデータをＰＣ６側に転送する場合にも適用でき、ストレージモードが外部メモリ１０の書込みだけに限定されるものではなく、また、通信モードにおいてもＰＣ６側にデータを転送する場合にも用いることができる。また、外部機器としてＵＳＢ機器であるＰＣ６を例示しているが、ＰＣ６はデータ源であればよく、ＵＳＢ機器に限定されるものではない。
【００２２】
携帯端末機器４は、携帯電話機等、電子機器の一例であって、無線電話又は有線電話等の通信機能を備えるとともに、ＰＣ６等の外部機器からのデータ転送の中継機能、外部メモリ１０に対するデータの書込み機能、外部メモリ１０にあるデータを用いたデータ処理機能を備える。ＰＣ６は、携帯端末機器４に外部伝送路として例えば、ＵＳＢケーブル８に接続されてデータの授受が可能な外部機器の一例である。ＵＳＢケーブル８は、データ伝送路の一例であって、携帯端末機器４と外部機器との整合性が確立し、効率的なデータ伝送が可能であれば、他の伝送ケーブルやインタフェースを用いてもよい。外部メモリ１０は、不揮発性メモリとして例えば、ＳＤ（Secure Digital）メモリカード等で構成され、動画や音楽等、各種のデータを記憶させることができる記憶媒体であればどのようなものであってもよい。
【００２３】
携帯端末機器４の有する通信モードは、携帯端末機器４を通信媒体としてＰＣ６と他のＰＣや携帯端末機器との通信を行ってデータの授受を行い、また、ストレージモードは、携帯端末機器４に搭載された外部メモリ１０にＰＣ６から提供されるデータを書き込む等の動作形態であって、外部メモリ１０からＰＣ６にデータを取り出す動作を含んでもよい。これら動作形態の切替えについて、ユーザが携帯端末機器４のメニュー画面から任意に選択する構成でもよく、携帯端末機器４の電源投入（給電開始）の初期設定で通信モードが設定される構成であってもよい。この実施の形態では、電源投入の初期設定で通信モードが選択される構成であるが、携帯端末機器４にＰＣ６が接続されたことの検出に基づき、ユーザに表示画面を通じてストレージモードを選択するか否かの問合せメッセージを発し、ユーザが所望のモードを選択する構成としている。
【００２４】
そこで、携帯端末機器４は、図１に示すように、無線部４０２、ベースバンド部４０４、アプリケーション（ＡＰＬ）制御部４０６、伝送路４０８、ＵＳＢ検出部４１０、コネクタ部４１２、表示制御部４１４、表示部４１６、記憶部４１８を備えている。
【００２５】
無線部４０２はアンテナ４２０を備え、基地局との無線通信を制御し、ベースバンド部４０４にあるＣＰＵ（Central Processing Unit ）４３２（図２）の制御により、パケットデータや音声等のデータを搬送波信号に重畳させて送信信号を生成して基地局に送信し、又は、基地局から受信した無線信号からパケットデータや音声等のデータを得る。ベースバンド部４０４に通信モードが設定されている場合には、ベースバンド部４０４からのデータが無線部４０２により無線信号に変換されて通信先に送信される。
【００２６】
ベースバンド部４０４は、伝送路４０８に接続されて無線部４０２にデータを受け渡すか否かのデータ処理部の一例であって、伝送路４０８のインタフェース機能を備えるとともに、データや音声に関するベースバンド信号の処理等、通信に関する制御を行う。そこで、このベースバンド部４０４は例えば、図２に示すように、回路チップであるベースバンド制御用ＬＳＩ（Large Scale Integration ）で構成され、ＣＰＵ４３２、記憶部４３４、ＵＳＢインタフェース部（ＵＳＢ−Ｉ／Ｆ部）４３６、その他のインタフェース部（Ｉ／Ｆ部）４３８、４４０、モデム部４４２、データ変換部４４４を備え、これらはバス４４６で接続されている。
【００２７】
斯かる構成のベースバンド部４０４では、ＣＰＵ４３２の制御により、ＵＳＢ−Ｉ／Ｆ部４３６でＵＳＢ機器が接続されたことを表す検出出力を受け、その検出出力を受けたことをＩ／Ｆ部４３８からＵＳＢ検出部４１０に応答するとともに、ＡＰＬ制御部４０６にも前記検出出力を受けたことを通知する。初期設定として例えば、通信モードが設定されている場合には、データの受入れを許可することを表す出力ＵＳＢ ＰＵＥＮをＵＳＢ−Ｉ／Ｆ部４３６からＵＳＢ検出部４１０に通知し、データの受入れを許可する場合には、データ入力ポートＵＳＢ Ｄ＋、ＵＳＢ Ｄ−をプルアップ状態にし、データを受け入れる。Ｉ／Ｆ部４４０は、ＡＰＬ制御部４０６との通信及び各種制御のデータの授受等に用いられる。記憶部４３４は不揮発性メモリで構成され、例えば、図３に示すように、プログラム記憶領域４４８、データ記憶領域４５０、ワーク領域４５２等が設定され、プログラム記憶領域４４８にはデータ転送制御プログラム４５４、その他の制御プログラム４５６が記憶されている。
【００２８】
また、このベースバンド部４０４には、図１に示すように、音声信号を符号化（アナログ／ディジタル変換）する等の処理に用いられるコーデック（Codec ）部４２２が接続され、このコーデック部４２２には操作入力部４２４が接続されている。この操作入力部４２４は、ＡＰＬ制御部４０６にも接続されており、記号等の入力や表示部４１６の表示画面に展開される問合せメッセージやダイアログボックスに対する応答等に用いられる例えば、キーボードで構成される。
【００２９】
また、ＡＰＬ制御部４０６は、伝送路４０８に接続されてデータを通過又は遮断する切替え機能を有し、伝送路４０８を通して受けたデータを通過させて外部メモリ１０に転送するデータ転送部の一例であって、このＡＰＬ制御部４０６には、バス４２６及び著作権保護機能部４２８を介して外部メモリ１０が接続されている。ストレージモードが選択された場合、ＰＣ６から伝送路４０８を通して受け入れ、ＡＰＬ制御部４０６に通過させたデータが外部メモリ１０に書き込まれる。この場合、ストレージモードにおけるデータの伝送経路には、ベースバンド部４０４は切り離されており、ベースバンド部４０４を介在させる場合に比較し、データ伝送の高速化が図られる。
【００３０】
そこで、このＡＰＬ制御部４０６は例えば、図４に示すように、回路チップであるＡＰＬ制御用ＬＳＩで構成され、ＣＰＵ４５８、記憶部４６０、ＵＳＢインタフェース部（ＵＳＢ−Ｉ／Ｆ部）４６２、その他のインタフェース部（Ｉ／Ｆ部）４６４、４６６、４６８を備え、これらはバス４７０で接続されている。
【００３１】
このＡＰＬ制御部４０６では、ＣＰＵ４５８の制御により、Ｉ／Ｆ部４６６にベースバンド部４０４から発せられた制御出力が取り込まれる。この制御出力を受けたことにより、表示制御部４１４に初期設定に係る通信モードからストレージモードに切り替えるか否かの問合せメッセージ出力が発せられる。即ち、問合せ生成部は、ＣＰＵ４５８、記憶フィルタ４６０等で構成され、その出力が表示制御部４１４を通して表示部４１６に画像として展開される。ストレージモードが選択された場合には、データの受入れを許可すること（即ち、データを通過させること）を表す出力ＵＳＢ ＰＵＥＮがＵＳＢ−Ｉ／Ｆ部４６２からＵＳＢ検出部４１０に通知され、データの受入れを許可する場合には、データ入力ポートＵＳＢ Ｄ＋、ＵＳＢ Ｄ−をプルアップ状態にし、データを受け入れる。Ｉ／Ｆ部４６６は、ベースバンド部４０４との各種制御におけるデータの授受に用いられる。記憶部４６０は不揮発性メモリで構成され、例えば、図５に示すように、プログラム記憶領域４７１、データ記憶領域４７２、ワーク領域４７３等が設定され、プログラム記憶領域４７１にはデータ転送制御プログラム４７４、その他の制御プログラム４７６が記憶されている。データ転送制御プログラム４７４は、既述のデータ転送制御プログラム４５４に対応し、両者は協調してデータ転送の制御の実行に用いられる。
【００３２】
伝送路４０８は、ベースバンド部４０４とＡＰＬ制御部４０６との間に設置された第１のバス４８１と、このバス４８１とＵＳＢ検出部４１０とを結ぶ第２のバス４８２とを含んでいる。バス４８１には、図６に示すように、ベースバンド部４０４及びＡＰＬ制御部４０６間でデータの授受に用いる複数ビットの伝送線４８１１、ベースバンド部４０４から制御出力をＡＰＬ制御部４０６に伝送する伝送線４８１２、ベースバンド部４０４及びＡＰＬ制御部４０６間でデータの授受をするＵＳＢ伝送線４８１３、４８１４、ベースバンド部４０４の制御出力をＵＳＢ検出部４１０に伝送するための伝送線４８１５、ＡＰＬ制御部４０６の応答出力をＵＳＢ検出部４１０に伝送するための伝送線４８１６が含まれる。
【００３３】
バス４８２には、ＵＳＢ検出部４１０の検出出力をベースバンド部４０４に伝送するための伝送線４８２１、伝送線４８１２から分岐されてベースバンド部４０４の制御出力をＵＳＢ検出部４１０に伝送する伝送線４８２２、ＵＳＢ伝送線４８１３、４８１４から分岐され、ＵＳＢ検出部４１０と接続されたＵＳＢ伝送線４８２３、４８２４、伝送線４８１５、４８１６からの制御出力（応答出力）をＯＲ回路４８３を介してＵＳＢ検出部４１０に伝送するための伝送線４８２６が含まれる。
【００３４】
ＵＳＢ検出部４１０は、図１に示すように、伝送路４０８を介して接続されているコネクタ部４１２にＵＳＢ機器としてＰＣ６等が接続されたことを検出し、その検出出力を既述の伝送線４８２１を通じてベースバンド部４０４に通知する。コネクタ部４１２は、携帯端末機器４側に設置され、ＵＳＢケーブル８の伝送線に対応するデータ入出力ポート、電源線に対応する電源ポートを有する。
【００３５】
ＵＳＢ検出部４１０では、コネクタ部４１２にＰＣ６が接続されたか否かを、ＰＣ６からＵＳＢケーブル８及びコネクタ部４１２を介して加えられる電圧により検出する。ＵＳＢ検出部４１０が出力する検出出力ＶＢＵＳＤＥＴは、ベースバンド部４０４のＵＳＢ−Ｉ／Ｆ部４３６に加えられ、この応答出力をＩ／Ｆ部４３８からＵＳＢ検出部４１０に伝送線４８２２により加えるとともに、伝送線４８１２によりＡＰＬ制御部４０６のＩ／Ｆ部４６４に加え、同時に、ＰＣ６がコネクタ部４１２に接続されたことをＡＰＬ制御部４０６に割込み通知し、これに応答してＡＰＬ制御部４０６でストレージモードの実行を可能にする。
【００３６】
また、ＵＳＢ検出部４１０は、図７に示すように、電源部４１１が内蔵されており、この電源部４１１は例えば、スイッチングレギュレータで構成され、ベースバンド部４０４のＵＳＢ−Ｉ／Ｆ部４３６、ＡＰＬ制御部４０６のＵＳＢ−Ｉ／Ｆ部４６２の動作に必要な電源を構成しており、ＵＳＢ検出部４１０の電圧検出出力ＶＢＵＳＤＥＴに対するＩ／Ｆ部４３８の応答出力ＵＳＢＳＥＱを受け、一定の電圧出力ＶＤＤ−ＵＳＢを発生する。この電圧出力ＶＤＤ−ＵＳＢは、電源ライン４１３を通じてベースバンド部４０４のＵＳＢ−Ｉ／Ｆ部４３６、ＡＰＬ制御部４０６のＵＳＢ−Ｉ／Ｆ部４６２に給電される。
【００３７】
また、表示制御部４１４は、図１に示すように、ＬＣＤ（Liquid Crystal Display）等で構成される表示部４１６の表示を制御し、ＡＰＬ制御部４０６から出力されるダイアログメッセージ等を表示部４１６に画像として表示する。この表示制御部４１４は、表示部４１６の表示以外のカメラ画像の取込み等の画像制御にも用いられる。また、記憶部４１８は不揮発性メモリ等で構成され、画像や着信音声等が記憶される。
【００３８】
そして、携帯端末機器４は例えば、図８に示すように、ヒンジ部４８４を以て折畳み可能な筐体部４８６、４８８を備えている。筐体部４８６には、操作入力部４２４、外部メモリ１０の装着部４９０、コネクタ部４１２が備えられ、操作入力部４２４には、カーソルキー４９２、決定キー４９４、複数の記号入力キー４９６等が備えられている。また、筐体部４８８には、表示部４１６等が設置されている。
【００３９】
この携帯端末機器４に接続されるＰＣ６は例えば、図９に示すように、制御部６０２、記憶部６０４、操作入力部６０６、表示部６０８、ＵＳＢインタフェース部（ＵＳＢ−Ｉ／Ｆ部）６１０、インタフェース部（Ｉ／Ｆ部）６１２、通信部６１４を備え、これらはバス６１５で接続されている。制御部６０２は記憶部６０４にあるプログラムを実行するＣＰＵやＲＡＭ等を備える。記憶部６０４にはプログラム記憶領域やデータ記憶領域が設定され、プログラム記憶領域にはデータ転送制御プログラム６１６が格納され、データ記憶領域には音楽や画像等のデータが記憶される。操作入力部６０６はキーボード等で構成され、表示部６０８はＬＣＤ等で構成される。ＵＳＢ−Ｉ／Ｆ部６１０には、ＵＳＢケーブル８を介して既述の携帯端末機器４が接続される。Ｉ／Ｆ部６１２には、ＣＤ等の外部メモリ６１８から音楽データ等が取り込まれる。通信部６１４はインターネット６２０に接続され、インターネット６２０を通して音楽データの取り込みに用いられる。これらのデータは、ＰＣ６から必要に応じて携帯端末機器４に転送される。
【００４０】
次に、データ転送制御方法及びデータ転送制御プログラムの処理について説明する。
【００４１】
(1) データ転送制御（ＵＳＢモード）
【００４２】
図１０は、データ転送処理の処理手順を示すフローチャートである。このデータ転送処理は、データ転送制御プログラム４５４（図３）、４７４（図５）の実行により実現され、携帯端末機器４に対する電源投入により（ステップＳ１）、初期動作が実行される。コネクタ部４１２にＵＳＢ機器として例えば、ＰＣ６が接続されると、ＵＳＢ検出部４１０にＰＣ６から加えられる電圧の検出により、ＰＣ６の接続が検出される（ステップＳ２）。即ち、ＵＳＢモードが実行され、初期設定モードが立ち上がる（ステップＳ３）。この実施の形態では、通信モードが初期値としてデフォルト設定されている。
【００４３】
この初期設定モードにおいて、ＡＰＬ制御部４０６がベースバンド部４０４からＰＣ６の接続の通知を受けると、問合せ出力が発せられ、表示部４１６に問合せメッセージが表示される（ステップＳ４）。即ち、ストレージモードか否かの選択が求められ（ステップＳ５）、ストレージモードを選択すれば、ストレージモードが実行され（ステップＳ６）、ＰＣ６からＵＳＢケーブル８、伝送路４０８等を経てＡＰＬ制御部４０６がデータの受入れを行い、外部メモリ１０にデータを転送する（ステップＳ７）。
【００４４】
また、ステップＳ５において、通信モードを選択すれば、通信モードが実行され（ステップＳ８）、ＰＣ６からＵＳＢケーブル８、伝送路４０８等を経てベースバンド部４０４がデータの受入れを行い、そのデータが無線部４０２を通じて通信先に送信される（ステップＳ９）。
【００４５】
このデータ転送制御において、ＡＰＬ制御部４０６側の処理には、外部機器であるＰＣ６から送出されたデータを通過させ又は遮断するステップ、ＰＣ６から受けたデータを外部メモリ１０に転送させるステップを含んでいる。
【００４６】
このデータ転送制御において、ベースバンド部４０４の処理には、外部機器であるＰＣ６から送出されたデータを受け入れ又は遮断する切替えを行うステップ、ＰＣ６から受けたデータを搬送波信号に重畳させて送信するステップを含んでいる。
【００４７】
また、このデータ転送制御処理には、ＵＳＢ検出処理として、コネクタ部４１２、伝送路４０８にＰＣ６が接続されたか否かを検出するステップ、問合せ処理として、コネクタ部４１２、伝送路４０８にＰＣ６が接続されたか否かの検出に基づき、データをデータ処理部としてのベースバンド部４０４に入力するか又はデータ転送部としてのＡＰＬ制御部４０６に入力するかの問合せを生成させるステップ、前記問合せの表示を生成させるステップを含んでいる。
【００４８】
(2) ストレージモード切替えシーケンス、データ転送及び書込み処理
【００４９】
図１１は、ストレージモード切替えシーケンスを示す図である。
【００５０】
携帯端末機器４の電源の初期投入時には、デフォルト設定として通信モードが設定されている。通信モードでは、既述の通り、ベースバンド部４０４側にデータを受け入れ、そのデータが無線部４０２を通して無線信号として送信される。
【００５１】
そこで、図１１に示すように、ベースバンド部４０４とＰＣ６との間には、ベースバンド部４０４とＰＣ６との間でデータ転送が可能な通信モードが設定され（ステップＳ１１）、この状態からストレージモードに切り替えるには、携帯端末機器４のメニューモードからストレージモードを選択する。このストレージモードを選択すると、ＡＰＬ制御部４０６からＵＳＢ停止要求がベースバンド部４０４に発せられ（ステップＳ１２）、この要求を受けたベースバンド部４０４は、ＰＣ６に対してＵＳＢ切断（プルダウン）を実行する（ステップＳ１３）。この場合、ベースバンド部４０４のＵＳＢ−Ｉ／Ｆ部４３６のデータ入力ポートＵＳＢ Ｄ−、ＵＳＢ Ｄ＋をプルダウン状態、即ち、高インピーダンスに切り替え、データの入力を拒否する動作として遮断状態を設定する。このＵＳＢ切断処理を実行すると、ベースバンド部４０４からＡＰＬ制御部４０６に対し、ＵＳＢ切断を実行する旨のＵＳＢ切断通知が発せられる（ステップＳ１４）。このＵＳＢ切断通知が発せられると、ベースバンド部４０４のＵＳＢ−Ｉ／Ｆ部４３６の状態を表す制御出力ＵＳＢ ＰＵＥＮがレベルＨからレベルＬに切り替えられ、このＬ出力が伝送線４８１６、４８２６よりＵＳＢ検出部４１０、コネクタ部４１２及びＵＳＢケーブル８を通してＰＣ６に通知される。その切断処理を正常に終了した場合には、正常終了通知がベースバンド部４０４から発せられ、ＡＰＬ制御部４０６に通知される（ステップＳ１５）。この場合、Ｉ／Ｆ部４４０、伝送線４８１１及びＩ／Ｆ部４６６を通じて実行される。
【００５２】
この通知を受けたＡＰＬ制御部４０６は、ＵＳＢ接続をＰＣ６に対して行う（ステップＳ１６）。この場合、ＡＰＬ制御部４０６のＵＳＢ−Ｉ／Ｆ部４６２のデータ入力ポートＵＳＢ Ｄ−、ＵＳＢ Ｄ＋をプルアップ状態に切り替え、データの取込み、その入力許可を設定する。この結果、ＡＰＬ制御部４０６には、ＰＣ６からデータをＡＰＬ制御部４０６側で受けるストレージモードが設定される（ステップＳ１７）。図１２は、このストレージモードの動作状態を示しており、斯かる設定により、ＰＣ６から送出されたデータは、ＡＰＬ制御部４０６を経て外部メモリ１０に転送されて書き込まれる。
【００５３】
(3) ＵＳＢの接続切替え処理
【００５４】
図１３は、ＵＳＢの接続切替え処理として、ベースバンド部４０４側の切断要求に伴うＡＰＬ制御部４０６側接続の処理シーケンスを示す図である。
【００５５】
このＵＳＢ接続切替え処理では、ベースバンド部４０４とＡＰＬ制御部４０６との通信により、ＡＰＬ制御部４０６側からの要求により、ベースバンド部４０４による切断及び接続を行う。この場合、ベースバンド部４０４において、ＡＰＬ制御部４０６側の接続状態を記憶部４３４に保持する。
【００５６】
ＡＰＬ制御部４０６からＵＳＢ接続の要求が生起すると、割込み設定により、ＡＰＬ制御部４０６のＩ／Ｆ部４６６からＵＳＢ切断要求がベースバンド部４０４のＩ／Ｆ部４４０に通知され（ステップＳ２１）、ベースバンド部４０４ではＡＰＬ制御部４０６のＵＳＢ接続状態を保持し（ステップＳ２２）、ベースバンド部４０４側のＵＳＢ切断処理を実行する（ステップＳ２３）。この切断処理の実行により、Ｉ／Ｆ部４３８からレベルＬのパルス出力が発せられ、このＬ出力をＡＰＬ制御部４０６のＩ／Ｆ部４６４が伝送線４８１２を通して受けると、割込み処理が発生する（ステップＳ２４）。Ｉ／Ｆ部４３８から発せられたレベルＬのパルス出力は、伝送線４８２２を通してＵＳＢ検出部４１０にも通知され、この通知により、ＰＣ６側でそのイベントを知ることができる。また、ベースバンド部４０４とＡＰＬ制御部４０６との通信により、ベースバンド部４０４からＡＰＬ制御部４０６にＵＳＢ切断通知が発せられ（ステップＳ２５）、この通知を受けたＡＰＬ制御部４０６ではＵＳＢ接続処理が実行される（ステップＳ２６）。
【００５７】
(4) 表示部４１６のダイアログ表示処理
【００５８】
電源の初期投入時には、デフォルト設定により、通信モードを設定するものとすれば、ＰＣ６の接続が検出されると、図１４に示すように、表示部４１６の表示画面５００が表示され、この表示画面５００では問合せメッセージ５０２とともにボタン５０４、５０６が表示される。即ち、問合せ生成部を構成するＡＰＬ制御部４０６から問合せメッセージ出力が生成され、表示制御部４１４を通して表示部４１６に問合せメッセージ５０２が表示される。ボタン５０４をカーソルキー４９２で選択し、決定キー４９４を押下すれば、通信モードからストレージモードに切り替えられる。即ち、デフォルト設定が解除される。また、ボタン５０６をカーソルキー４９２で選択し、決定キー４９４を押下すれば、通信モードが維持され、デフォルト設定が維持される。
【００５９】
(5)   通信モード切替えシーケンス、データ送信処理
【００６０】
図１５は、通信モード切替えシーケンスを示す図である。
【００６１】
この処理は、ストレージモードが設定されている場合、このストレージモードから通信モードに切り替えるシーケンスである。そこで、図１５に示すように、ＡＰＬ制御部４０６とＰＣ６との間には、ストレージモードが設定され（ステップＳ３１）、このストレージモードから通信モードに切り替えるには、携帯端末機器４のメニューモードから既述の通り、通信モードを選択する。この通信モードを選択すると、ＡＰＬ制御部４０６からＰＣ６に対してＵＳＢ切断（プルダウン）を実行し（ステップＳ３２）、この場合、ＡＰＬ制御部４０６のＵＳＢ−Ｉ／Ｆ部４６２のデータ入力ポートＵＳＢ Ｄ−、ＵＳＢ Ｄ＋をプルダウン状態、即ち、高インピーダンスに切り替え、データの入力を拒否する動作として遮断状態を設定する。このＵＳＢ切断処理を実行すると、ＡＰＬ制御部４０６からベースバンド部４０４に対してＵＳＢ接続開始要求が発せられ（ステップＳ３３）、これに応答し、ベースバンド部４０４からＰＣ６に対してＵＳＢ接続（プルアップ）を実行し（ステップＳ３４）、この実行後、ベースバンド部４０４からＡＰＬ制御部４０６に対し、ＵＳＢ接続を実行する旨のＵＳＢ接続通知が発せられる（ステップＳ３５）。このＵＳＢ接続通知が発せられると、ベースバンド部４０４のＵＳＢ−Ｉ／Ｆ部４３６の状態を表す制御出力ＵＳＢ ＰＵＥＮがレベルＬからレベルＨに切り替えられ、このＨ出力が伝送線４８１６、４８２６よりＵＳＢ検出部４１０、コネクタ部４１２及びＵＳＢケーブル８を通してＰＣ６に通知される。その接続処理を正常に終了した場合には、正常終了通知がベースバンド部４０４からＡＰＬ制御部４０６に通知される（ステップＳ３６）。
【００６２】
この結果、ベースバンド部４０４には、ＰＣ６からデータをベースバンド部４０４側で受ける通信モードが設定される（ステップＳ３７）。図１６は、この通信モードの動作状態を示しており、斯かる設定により、ＰＣ６から送出されたデータは、ベースバンド部４０４を経て無線部４０２から通信先に送信される。
【００６３】
(6) ＵＳＢの接続切替え処理
【００６４】
図１７は、ＵＳＢの接続切替え処理として、ＡＰＬ制御部４０６側の切断後のベースバンド部４０４の接続要求時の処理シーケンスを示す図である。
【００６５】
このＵＳＢ接続切替え処理では、ＡＰＬ制御部４０６側のＵＳＢ切断処理を実行し（ステップＳ４１）、ＡＰＬ制御部４０６とベースバンド部４０４との通信により、ＡＰＬ制御部４０６からベースバンド部４０４にＵＳＢ接続要求を行い（ステップＳ４２）、この要求を受けたベースバンド部４０４ではＡＰＬ制御部４０６のＵＳＢ接続の状態保持を解除し（ステップＳ４３）、ＵＳＢ接続処理を実行する（ステップＳ４４）。この実行の後、ベースバンド部４０４からＡＰＬ制御部４０６に対し、ＵＳＢ接続通知が発せられ（ステップＳ４５）、この処理を終了する。
【００６６】
以上説明したように、第１の実施の形態によれば、以下の効果が得られる。
【００６７】
ａ  ベースバンド部４０４にはＵＳＢ−Ｉ／Ｆ部４３６、ＡＰＬ制御部４０６にはＵＳＢ−Ｉ／Ｆ部４６２が備えられ、通信モードではＵＳＢ−Ｉ／Ｆ部４３６を活性状態に切り替えてデータを受け入れ、ストレージモードではＵＳＢＩ／Ｆ部４６２を活性状態に切り替えてデータを受け入れるので、データ源であるＵＳＢ機器と外部メモリ１０との間のデータ伝送経路が簡略化され、データ転送の高速化を図ることができる。
【００６８】
ｂ  ベースバンド部４０４のＵＳＢ−Ｉ／Ｆ部４３６とＡＰＬ制御部４０６のＵＳＢ−Ｉ／Ｆ部４６２とは、Ｙ分岐された共通の伝送路４０８を以て接続されているので、データ伝送の経路が簡略化されている。この簡略化もデータ伝送の高速化に寄与している。
【００６９】
ｃ  ベースバンド部４０４又はＡＰＬ制御部４０６にＵＳＢ機器を接続するＵＳＢモード（実施の形態ではＰＣ６の接続モード）のデフォルト設定に関し、通信モード（ベースバンド部４０４の接続）又はストレージモード（ＡＰＬ制御部４０６の接続) に切り替え、その場合、ＵＳＢ−Ｉ／Ｆ部４３６又はＵＳＢ−Ｉ／Ｆ部４６２は、ＬＳＩの内部でマスク処理してデータの混入を阻止するので、データ処理の誤動作防止が図られる。
【００７０】
ｄ  携帯端末機器４とＰＣ６との間でアプリケーションデータ等の各種のデータ転送が高速化されることにより、外部メモリ１０に対する書込み速度を早めることができ、携帯端末機器の用途拡大に寄与することができる。ＰＣ６をＡＰＬ制御部４０６に直結でき、しかも、ＵＳＢメインクロックは高速であるため、携帯端末機器４とＰＣ６間のアプリケーションデータ等のデータ転送を高速化でき、ストレージ処理の高速化に寄与する。
【００７１】
〔第２の実施の形態〕
【００７２】
本発明の第２の実施の形態について、図１８を参照して説明する。図１８は、回路装置の一例を示す図である。図１８において、図１と同一部分には同一符号を付してある。
【００７３】
この回路装置では、単一の回路基板４０に既述の無線部４０２、ベースバンド部４０４、ＡＰＬ制御部４０６、伝送路４０８、ＵＳＢ検出部４１０、表示制御部４１４、記憶部４１８、コーデック部４２２、著作権保護機能部４２８を備えて構成される。斯かる構成によれば、既述の携帯端末機器４に搭載し、既述のデータ転送制御等の機能を実現することができる。
【００７４】
なお、回路基板４０には、図１８に破線で示すように、コネクタ部４１２、表示部４１６を搭載した構成としてもよい。
【００７５】
〔第３の実施の形態〕
【００７６】
本発明の第３の実施の形態について、図１９を参照して説明する。図１９は、制御回路チップの構成例を示す図である。図１９において、図１と同一部分には同一符号を付してある。
【００７７】
この実施の形態の携帯端末機器４には、ベースバンド部４０４とＡＰＬ制御部４０６とを一体化して構成された制御回路チップ４０５が用いられ、この制御回路チップ４０５では、既述の伝送路４０８のバス４８１とともにバス４８２の一部が搭載されている。
【００７８】
このような制御回路チップ４０５を用いても、既述のデータ転送制御等の各種機能を実現することができる。
【００７９】
〔その他の実施の形態〕
【００８０】
(1) 上記実施の形態では、電子機器として携帯電話機を構成する携帯端末機器４を例示したが、図２０に示すように、本発明は、外部メモリ１０を接続し又は搭載する電子機器として携帯情報端末機（ＰＤＡ：Personal Digital Assistant）１２に適用することができる。
【００８１】
(2) また、本発明は、図２１に示すように、外部メモリ１０を接続し又は搭載する電子機器としてディジタルカメラ１４に適用してもよい。
【００８２】
(3) 外部メモリ１０は、携帯端末機器４に接続する構成でもよく、また、携帯端末機器４に搭載する構成としてもよい。
【００８３】
(4) 上記実施の形態では、携帯端末機器４を介して外部メモリ１０にデータを転送し、書き込むことを主として述べているが、本発明は、外部メモリ１０からデータを読み出し、外部機器側に送出する場合にも適用し、その高速化を図ることができるものである。
【００８４】
(5) 上記実施の形態では、初期設定として、通信モードを電源初期投入時に立ち上がる通常モードに設定しているが、通常モードとしてストレージモードが立ち上がる構成としてもよい。
【００８５】
(6) 上記実施の形態では、ＵＳＢ検出部４１０に内蔵された電源部４１１を設置しているが、Ｉ／Ｆ部４３８の応答出力ＵＳＢＳＥＱによって一定の出力電圧ＶＤＤ−ＵＳＢを発生する外部電源で構成してもよい。
【００８６】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８７】
（付記１）  外部記憶装置を接続又は搭載する電子機器であって、
外部機器に接続され、データを伝送する伝送路と、
前記伝送路に接続されてデータを通過させ又は遮断する切替え機能を有し、前記外部記憶装置にデータを書き込む場合に、前記伝送路からの前記データを通過させて前記外部記憶装置に転送するデータ転送部と、
を備えることを特徴とする電子機器。
【００８８】
（付記２）  付記１の電子機器において、
前記伝送路に接続されてデータを受け又は遮断する切替え機能を有するとともに、前記伝送路を通して前記外部機器から受けた前記データを搬送波信号に重畳させるデータ処理部を備えることを特徴とする電子機器。
【００８９】
（付記３）  付記１の電子機器において、
前記伝送路に前記外部機器が接続されたか否かを検出する検出部を備え、該検出部の検出結果に基づき、前記データ転送部を制御することを特徴とする電子機器。
【００９０】
（付記４）  外部記憶装置を接続又は搭載する電子機器であって、
外部機器に接続され、データを伝送する伝送路と、
前記伝送路に接続され、データを受け又は遮断するデータ処理部と、
前記データ処理部がデータを遮断する場合に、前記伝送路を通して前記外部機器からデータを通過させ、該データを前記外部記憶装置に転送するデータ転送部と、
を備えることを特徴とする電子機器。
【００９１】
（付記５）  付記４の電子機器において、
前記伝送路に前記外部機器が接続されたか否かを検出する検出部と、
この検出部の検出結果を受け、前記データを前記データ処理部で受けるか又は前記データ転送部で受けるかを表す問合せを生成する問合せ生成部と、
この問合せ生成部から生成された前記問合せを表示する表示部と、
を備えることを特徴とする電子機器。
【００９２】
（付記６）  外部記憶装置を接続又は搭載する電子機器のデータ転送制御方法であって、
外部機器から送出されたデータを通過させ又は遮断するステップと、
前記外部機器から受けた前記データを前記外部記憶装置に転送させるステップと、
を含むことを特徴とする、電子機器のデータ転送制御方法。
【００９３】
（付記７）  付記６の電子機器のデータ転送制御方法において、
伝送路に前記外部機器が接続されたか否かを検出するステップと、
前記伝送路に前記外部機器が接続されたか否かの検出に基づき、前記データをデータ処理部で受けるか又はデータ転送部で受けるかを表す問合せを生成させるステップと、
前記問合せを表示するステップと、
を含むことを特徴とする、電子機器のデータ転送制御方法。
【００９４】
（付記８）  外部記憶装置を接続又は搭載するとともに、コンピュータを備え、該コンピュータに実行させるための、電子機器のデータ転送制御プログラムであって、
外部機器から送出されたデータを通過させ又は遮断するステップと、
前記外部機器から受けた前記データを前記外部記憶装置に転送させるステップと、
を含むことを特徴とする、電子機器のデータ転送制御プログラム。
【００９５】
（付記９）  付記８の電子機器のデータ転送制御プログラムにおいて、
伝送路に前記外部機器が接続されたか否かを検出するステップと、
前記伝送路に前記外部機器が接続されたか否かの検出に基づき、前記データをデータ処理部に入力するか又はデータ転送部に入力するかの問合せを生成させるステップと、
前記問合せの表示を生成させるステップと、
を含むことを特徴とする、電子機器のデータ転送制御プログラム。
【００９６】
（付記１０）  外部記憶装置を接続又は搭載する電子機器の回路チップであって、
伝送路に接続されてデータを通過させ又は遮断する切替え機能を有し、前記外部記憶装置にデータを書き込む場合に、前記伝送路からの前記データを通過させて前記外部記憶装置に転送するデータ転送部を備えることを特徴とする回路チップ。
【００９７】
（付記１１）  付記１０の回路チップにおいて、
前記伝送路に接続されてデータを受け又は遮断する切替え機能を有するとともに、前記伝送路を通して前記外部機器から受けた前記データを搬送波信号に重畳させるデータ処理部を備えることを特徴とする回路チップ。
【００９８】
（付記１２）  外部記憶装置を接続又は搭載する電子機器に用いられる回路チップであって、
伝送路に接続され、データを受け又は遮断するデータ処理部と、
前記データ処理部がデータを遮断する場合に、前記伝送路を通して前記外部機器からデータを通過させ、該データを前記外部記憶装置に転送するデータ転送部と、
を備えることを特徴とする回路チップ。
【００９９】
（付記１３）  外部記憶装置を接続又は搭載する回路装置であって、
伝送路に接続されてデータを通過させ又は遮断する切替え機能を有し、前記外部記憶装置にデータを書き込む場合に、前記伝送路からの前記データを通過させて前記外部記憶装置に転送するデータ転送部を備えることを特徴とする回路装置。
【０１００】
（付記１４）  付記１３の回路装置において、
前記伝送路に接続されてデータを受け又は遮断する切替え機能を有するとともに、前記伝送路を通して前記外部機器から受けた前記データを搬送波信号に重畳させるデータ処理部を備えることを特徴とする回路装置。
【０１０１】
（付記１５）  外部記憶装置を接続又は搭載する回路装置であって、
外部機器に接続され、データを伝送する伝送路と、
前記伝送路に接続され、データを受け又は遮断するデータ処理部と、
前記データ処理部がデータを遮断する場合に、前記伝送路を通して前記外部機器からデータを通過させ、該データを前記外部記憶装置に転送するデータ転送部と、
を備えることを特徴とする回路装置。
【０１０２】
（付記１６）  付記１５の回路装置において、
前記伝送路に前記外部機器が接続されたか否かを検出する検出部と、
この検出部の検出結果を受け、前記データを前記データ処理部で受けるか又は前記データ転送部で受けるかを表す問合せを生成する問合せ生成部と、
この問合せ生成部から生成された前記問合せを表示する表示部と、
を備えることを特徴とする回路装置。
【０１０３】
（付記１７）  付記１５の回路装置において、
前記伝送路は、前記データ処理部と前記データ転送部との間に接続された第１のバスと、この第１のバスと前記機器とを接続する第２のバスとを備えることを特徴とする回路装置。
【０１０４】
（付記１８）  外部記憶装置を接続又は搭載する電子機器を備えるデータ転送システムであって、
前記電子機器にデータを供給する外部機器と、
前記外部機器に接続され、データを伝送する伝送路と、
前記伝送路に接続され、データを受け又は遮断するデータ処理部と、
前記データ処理部がデータを遮断する場合に、前記伝送路を通して前記外部機器からデータを通過させ、該データを前記外部記憶装置に転送するデータ転送部と、
を備えることを特徴とするデータ転送システム。
【０１０５】
（付記１９）  付記１８のデータ転送システムにおいて、
前記伝送路は、前記データ処理部と前記データ転送部との間に接続された第１のバスと、この第１のバスと前記機器とを接続する第２のバスとを備えることを特徴とするデータ転送システム。
【０１０６】
（付記２０）  付記１又は付記４の電子機器において、
前記伝送路は、ＵＳＢであることを特徴とする電子機器。
【０１０７】
（付記２１）  外部記憶装置を接続又は搭載し、かつ通信機能を有する電子機器であって、
外部機器に接続されて前記外部機器が送出したデータを伝送する伝送路と、
前記伝送路に接続されて通信モードの実行の際、前記データを受け入れるデータ処理部と、
前記外部記憶装置のデータ書込みモードの実行の際、前記データを受け入れ、該データを前記外部記憶装置に転送するデータ転送部と、
を備えることを特徴とする電子機器。
【０１０８】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１０９】
本発明は、ＳＤメモリカード等の外部記憶装置を搭載又は接続する電子機器に関し、データ供給側の機器と外部記憶装置とのデータ伝送経路を簡略化でき、データ転送の高速化、データ書込みや読出しの高速化を図ることができ、有用である。
【図面の簡単な説明】
【０１１０】
【図１】第１の実施の形態に係るデータ転送システムを示す図である。
【図２】ベースバンド部の構成例を示す図である。
【図３】ベースバンド部の記憶部の構成例を示す図である。
【図４】ＡＰＬ制御部の構成例を示す図である。
【図５】ＡＰＬ制御部の記憶部の構成例を示す図である。
【図６】伝送路の構成例を示す図である。
【図７】ＵＳＢ検出部の構成例を示す図である。
【図８】携帯端末機器の構成例を示す図である。
【図９】ＰＣの構成例を示す図である。
【図１０】データ転送制御の処理手順を示すフローチャートである。
【図１１】ストレージモード切替えシーケンスを示す図である。
【図１２】ストレージモードの動作を示す図である。
【図１３】ＡＰＬ制御部の接続要求の動作シーケンスを示す図である。
【図１４】表示部の表示例を示す図である。
【図１５】通信モード切替えシーケンスを示す図である。
【図１６】通信モードの動作を示す図である。
【図１７】ベースバンド部の接続要求の動作シーケンスを示す図である。
【図１８】第２の実施の形態に係る回路装置の構成例を示す図である。
【図１９】第３の実施の形態に係る制御回路チップの構成例を示す図である。
【図２０】その他の実施の形態に係るＰＤＡを用いたデータ転送システムの構成例を示す図である。
【図２１】その他の実施の形態に係るディジタルカメラを用いたデータ転送システムの構成例を示す図である。
【符号の説明】
【０１１１】
２  データ転送システム
４  携帯端末機器
６  ＰＣ
８  ＵＳＢケーブル
１０  外部メモリ
１２  ＰＤＡ
１４  ディジタルカメラ
４０  回路基板
４０４  ベースバンド部
４０５  制御回路チップ
４０６  ＡＰＬ制御部
４０８  伝送路
４１０  ＵＳＢ検出部
４１２  コネクタ部
４１６  表示部
【図１】
2007286978.tif 000003
【図２】
2007286978.tif 000004
【図３】
2007286978.tif 000005
【図４】
2007286978.tif 000006
【図５】
2007286978.tif 000007
【図６】
2007286978.tif 000008
【図７】
2007286978.tif 000009
【図８】
2007286978.tif 000010
【図９】
2007286978.tif 000011
【図１０】
2007286978.tif 000012
【図１１】
2007286978.tif 000013
【図１２】
2007286978.tif 000014
【図１３】
2007286978.tif 000015
【図１４】
2007286978.tif 000016
【図１５】
2007286978.tif 000017
【図１６】
2007286978.tif 000018
【図１７】
2007286978.tif 000019
【図１８】
2007286978.tif 000020
【図１９】
2007286978.tif 000021
【図２０】
2007286978.tif 000022
【図２１】
2007286978.tif 000023